(57)【要約】【課題】製造コストを増大させず、かつ、アンテナとＩＣチップとの間における接続不良を防止する。【解決手段】非導電材料からなる樹脂シート２３上にコイル状のアンテナ２１とその両端に接続されたランド部２２ａ，２２ｂとが形成されたベース基材２０上に、非導電材料からなる基材フィルム１３上にＩＣチップ１１が搭載されるとともにＩＣチップ１１の接続端子に接続されたランド部１２ａ，１２ｂが形成されたインターポーザ１０を、ランド部１２ａ，１２ｂとランド部２２ａ，２２ｂとが基材フィルム１３を介して互いに対向する位置に、ランド部１２ａ，１２ｂが形成されていない面を搭載面としてベース基材２０上に搭載する。【選択図】  図１
2004295773.tif 000002
【特許請求の範囲】
【請求項１】
非導電材料からなる第１の基材上に導電材料からなるコイル状のアンテナが形成された第１の部材と、前記第１の部材上に搭載され、非導電材料からなる第２の基材上に前記アンテナを介して非接触状態にて情報の書き込み及び読み出しが可能なＩＣチップが１つの面上に設けられた第２の部材とを有し、前記アンテナを介して非接触状態にて前記ＩＣチップに情報の書き込み及び読み出しが行われる非接触型情報記録媒体において、
前記第１の基材上にて前記アンテナの両端にそれぞれ接続されて形成された第１の導電領域と、
前記第２の基材の前記ＩＣチップが設けられた面上にて前記ＩＣチップの接続端子にそれぞれ接続されて形成された第２の導電領域とを有し、
前記第２の部材は、前記第１の導電領域と前記第２の導電領域とが前記第２の基材を介して互いに対向する位置に、前記第２の導電領域が形成されていない面を搭載面として前記第２の基材によって所定の静電容量を具備するように前記第１の部材上に搭載されていることを特徴とする非接触型情報記録媒体。
【請求項２】
請求項１に記載の非接触型情報記録媒体において、
前記第１の導電領域の面積は、前記第２の導電領域の面積よりも広いことを特徴とする非接触型情報記録媒体。
【請求項３】
請求項１に記載の非接触型情報記録媒体において、
前記第１の導電領域は、前記アンテナの長さ方向の該第１の導電領域の端部間における前記第２の部材の前記第１の部材上の搭載位置により前記第１の導電領域と前記第２の導電領域との対向する部分の面積が変化するような形状を有することを特徴とする非接触型情報記録媒体。
【発明の詳細な説明】
【０００１】
【発明の属する技術分野】
本発明は、非接触状態にて情報の書き込み及び読み出しが可能な非接触型情報記録媒体に関し、特に、電磁誘導方式によって非接触状態にて情報の書き込み及び読み出しが可能な非接触型情報記録媒体に関する。
【０００２】
【従来の技術】
近年、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、交流磁界によるコイルの相互誘導を利用した電磁結合方式によるものや、２つのコイルの誘電磁束による誘起電力を利用した電磁誘導方式によるのものや、マイクロ波によってデータを送受信するマイクロ波方式によるものや、カードあるいはラベル側と外部に設けられた情報書込／読出側のアンテナ間をコンデンサ原理で帯電させて通信を行う静電結合方式によるものや、近赤外線光を高速で点滅させて光のエネルギー変調を用いた光方式によるもの等があるが、この中でも、２つのコイルの誘電磁束による誘起電力を利用した電磁誘導方式によるものは、透過性に優れ、データ伝送の信頼性が高いことから最も多く利用されている。
【０００５】
電磁誘導方式による非接触型ＩＣカードや非接触型ＩＣラベル、非接触型ＩＣタグにおいては、ベース基材上において、コイル状のアンテナが形成されるとともに、このアンテナを介して非接触情報にて情報の書き込み及び読み出しが可能なＩＣチップがアンテナと接続された状態で搭載されており、このアンテナを介してＩＣチップに電源が供給されるとともに、ＩＣチップに書き込まれた情報が読み出されたりＩＣチップに情報が書き込まれたりしている。
【０００６】
ここで、上述したような電磁誘導方式による非接触型ＩＣカードや非接触型ＩＣラベル、非接触型ＩＣタグにおいては、ベース基材上にてコイル状のアンテナとＩＣチップとが接続されているが、ＩＣチップがコイル状のアンテナのループ内に設けられている場合、コイル状のアンテナの一端と他端とをそれぞれＩＣチップに接続するためには、ＩＣチップの接続部分から延びてコイル形状を形成したアンテナがコイル形状となったアンテナ上を跨ぐようにして再度コイルのループ内に導かれ、ＩＣチップと接続されることになる。
【０００７】
ところが、コイル形状を形成している部分のアンテナとこのアンテナを跨ぐ部分とにおいては互いに電気的に絶縁される必要がある。
【０００８】
そこで、ジャンパ部材によってコイル形状のアンテナの一端とＩＣチップとを接続したり、アンテナの一端に接続されたスルーホールとＩＣチップの接続端子に接続されたスルーホールとを形成してこの２つのスルーホールをアンテナが形成された面とは反対側の面にて接続したり、また、アンテナを印刷にて形成する場合は、コイル形状を形成している部分のアンテナとこのアンテナを跨ぐ部分とを別工程にて印刷したりすることにより、コイル形状を形成している部分のアンテナとこのアンテナを跨ぐ部分とを互いに電気的に絶縁しながらもアンテナとＩＣチップとを接続する方法が採られている。
【０００９】
しかしながら、ジャンパ部材によってコイル形状のアンテナの一端とＩＣチップとを接続するものにおいては、ジャンパ部材を新たに設けなければならず、また、アンテナの一端に接続されたスルーホールとＩＣチップの接続端子に接続されたスルーホールとを形成してこの２つのスルーホールをアンテナが形成された面とは反対側の面にて接続するものにおいては、スルーホールを形成する工程が必要となり、また、コイル形状を形成している部分のアンテナとこのアンテナを跨ぐ部分とを別工程にて印刷するものにおいては、アンテナを印刷するために２つの工程を行わなければならず、手間と時間がかかってしまう。
【００１０】
そこで、アンテナを形成する工程における作業の簡略化及びコストの低減を図るために、アンテナを覆うようにＩＣチップを搭載し、アンテナパターンを交差させることなくアンテナとＩＣチップとを接続する技術が考えられている（例えば、特許文献１参照。）。
【００１１】
また、ＩＣチップが搭載されたインターポーザを用い、このインターポーザを、コイル形状を形成している部分のアンテナを跨ぐように設け、それにより、アンテナとＩＣチップとを接続することが行われている。
【００１２】
図４は、従来の非接触型ＩＣタグの構造の一例を示す図であり、（ａ）は内部構造を示す図、（ｂ）は断面図である。
【００１３】
本従来例における非接触型ＩＣタグは図４に示すように、表面にコイル状のアンテナ７１２が形成された樹脂シート７１５と、外部に設けられた情報書込／読出装置（不図示）からの電磁誘導によりアンテナ７１２を介して電流が供給され非接触状態にて情報の書き込み及び読み出しが行われるＩＣチップ７１１が搭載されたインターポーザ７３０とからなるインレット７１０上に、情報が印字可能に構成された表面シート７２０が接着剤層７５０を介して積層されて構成されている。なお、ＩＣチップ７１１は、インターポーザ７３０上において、インターポーザ７３０が樹脂シート７１５上に搭載された際にアンテナ７１２と対向する位置に搭載されている。
【００１４】
また、インターポーザ７３０は、基材フィルム７３１と、基材フィルム７３１上にＩＣチップ７１１と接続されて形成され、インターポーザ７３０が樹脂シート７１５上に搭載された際に、樹脂シート７１５上にアンテナ７１２と接続されて形成されたランド部７１７と接触することによりアンテナ７１２とＩＣチップ７１１とを接続するための金属層７３２と、ＩＣチップ７１１上に積層され、インターポーザ７３０が樹脂シート７１５上に搭載された際にアンテナ７１２とＩＣチップ７１１及び金属層７３２とを絶縁するための絶縁層７３３とから構成されている。なお、金属層７３２とランド部７１７とは、導電性接着剤や熱接着等によって接着されている。
【００１５】
上述したように、従来の非接触型ＩＣラベルにおいては、インターポーザ７３０上において、インターポーザ７３０が樹脂シート７１５に搭載された際にアンテナ７１２と対向する領域に絶縁層７３３が形成され、それにより、インターポーザ７３０に跨がれる領域に形成されたアンテナ７１２とインターポーザ７３０に形成された金属層７３２及びＩＣチップ７１１とが互いに電気的に絶縁されている。
【００１６】
上記のように構成された非接触型ＩＣタグ７００においては、外部に設けられた情報書込／読出装置に近接させることにより、情報書込／読出装置からの電磁誘導によりアンテナ７１２に電流が流れ、この電流がランド部７１７を介してＩＣチップ７１１に供給され、それにより、非接触状態において、情報書込／読出装置からＩＣチップ７１１に情報が書き込まれたり、ＩＣチップ７１１に書き込まれた情報が情報書込／読出装置にて読み出されたりする。
【００１７】
【特許文献１】
特開平１０−２０３０６０号公報
【００１８】
【発明が解決しようとする課題】
しかしながら、上述したような従来の非接触型ＩＣタグ等のようなインターポーザを用いた非接触型情報記録媒体においては、インターポーザに跨がれる領域に形成されたアンテナとインターポーザに形成された金属層及びＩＣチップとを互いに電気的に絶縁するために絶縁層を形成しなければならず、そのための工程及び部材が必要となってしまい、製造コストが増大してしまうという問題点がある。
【００１９】
また、アンテナとＩＣチップとを電気的に接続するためにアンテナと金属層とが接着されているが、アンテナと金属層とは導電性接着剤や熱接着等によって接着されているため、導電性接着剤を用いた場合はその硬化時間が必要となってしまい、また、熱接着による場合は、加熱装置が必要となってしまい、製造コストが増大してしまうという問題点がある。また、外力が加わった場合、アンテナと金属層との接着部分が剥がれ、それにより、アンテナとＩＣチップとの間にて接続不良が生じ、ＩＣチップに対する情報の書き込み及び読み出しを行うことができなくなってしまう虞れがある。
【００２０】
本発明は、上述したような従来の技術が有する問題点に鑑みてなされたものであって、製造コストを増大させず、かつ、アンテナとＩＣチップとの間にて接続不良が生じることのない非接触型情報記録媒体を提供することを目的とする。
【００２１】
【課題を解決するための手段】
上記目的を達成するために本発明は、
非導電材料からなる第１の基材上に導電材料からなるコイル状のアンテナが形成された第１の部材と、前記第１の部材上に搭載され、非導電材料からなる第２の基材上に前記アンテナを介して非接触状態にて情報の書き込み及び読み出しが可能なＩＣチップが１つの面上に設けられた第２の部材とを有し、前記アンテナを介して非接触状態にて前記ＩＣチップに情報の書き込み及び読み出しが行われる非接触型情報記録媒体において、
前記第１の基材上にて前記アンテナの両端にそれぞれ接続されて形成された第１の導電領域と、
前記第２の基材の前記ＩＣチップが設けられた面上にて前記ＩＣチップの接続端子にそれぞれ接続されて形成された第２の導電領域とを有し、
前記第２の部材は、前記第１の導電領域と前記第２の導電領域とが前記第２の基材を介して互いに対向する位置に、前記第２の導電領域が形成されていない面を搭載面として前記第２の基材によって所定の静電容量を具備するように前記第１の部材上に搭載されていることを特徴とする。
【００２２】
また、前記第１の導電領域の面積は、前記第２の導電領域の面積よりも広いことを特徴とする。
【００２３】
また、前記第１の導電領域は、前記アンテナの長さ方向の該第１の導電領域の端部間における前記第２の部材の前記第１の部材上の搭載位置により前記第１の導電領域と前記第２の導電領域との対向する部分の面積が変化するような形状を有することを特徴とする。
【００２４】
（作用）
上記のように構成された本発明においては、コイル状のアンテナが形成されてなる第１の部材において、アンテナが形成された第１の基材上にアンテナの両端にそれぞれ接続された第１の導電領域が形成され、また、アンテナを介して非接触状態にて情報の書き込み及び読み出しが可能なＩＣチップが１つの面上に設けられてなる第２の部材において、ＩＣチップが搭載された第２の基材のＩＣチップが搭載された面上にＩＣチップの接続端子にそれぞれ接続されて形成された第２の導電領域が形成されており、第２の部材が第２の導電領域が形成されていない面を搭載面として第１の部材上に搭載されると、第１の導電領域と第２の導電領域とが第２の基材を介して互いに対向し、前記第２の基材によって所定の静電容量を具備するようになる。これにより、この状態で外部に設けられた情報書込／読出装置に近接させると、情報書込／読出装置からの電磁誘導によりコイル状のアンテナに電流が流れ、その電流がアンテナから第１及び第２の導電領域を介してＩＣチップに供給され、それにより、非接触状態において、情報書込／読出装置からＩＣチップに情報が書き込まれたり、ＩＣチップに書き込まれた情報が情報書込／読出装置にて読み出されたりする。
【００２５】
このように、情報の書き込み及び読み出しが行われるＩＣチップと、ＩＣチップに対して非接触状態にて情報の書き込み及び読み出しを行うためのアンテナとが、第１の導電領域及び第２の導電領域によって第２の基材を介して非接触状態にて結合されることになるので、アンテナとＩＣチップとの間にて接続不良が生じることがなくなるとともに、アンテナ及び第１の導電領域とＩＣチップ及び第２の導電領域との間に絶縁層を形成する必要がなくなり、また、第１の部材上に第２の部材を搭載する際に、導電性接着剤や熱接着等によってこれらを接着する必要がなく、一般的な接着剤を用いて接着すればよく、それにより、製造の際の作業効率が向上し、製造コストが増大してしまうことがなくなる。
【００２６】
【発明の実施の形態】
以下に、本発明の実施の形態について図面を参照して説明する。
【００２７】
（第１の実施の形態）
図１は、本発明の非接触型情報記録媒体の第１の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【００２８】
本形態は図１に示すように、コイル状のアンテナ２１が形成されてなる第１の部材であるベース基材２０上にアンテナ２１を介して非接触状態にて情報の書き込み及び読み出しが可能なＩＣチップ１１が設けられた第２の部材であるインターポーザ１０が接着剤５０によって搭載されて構成されたインレット１５に、表面シート３０が接着剤層４０によって積層されて構成されている。
【００２９】
インターポーザ１０は、第２の基材である基材フィルム１３上に所定の間隔を有して第２の導電領域である２つのランド部１２ａ，１２ｂが形成され、ランド部１２ａ，１２ｂを跨ぐようにＩＣチップ１１が搭載されて構成されている。
【００３０】
また、ベース基材２０は、第１の基材である樹脂シート２３上に、コイル状のアンテナ２１が形成されるとともに、アンテナ２１の両端には所定の面積を有する第１の導電領域であるランド部２２ａ，２２ｂがそれぞれ形成されて構成されている。
【００３１】
上記のように構成されたベース基材２０上に、ベース基材２０に設けられたランド部２２ａ，２２ｂと、インターポーザ１０に設けられたランド部１２ａ，１２ｂとが基材フィルム１３を介して対向するように両面テープ等の接着剤５０を介して搭載されてインレット１５が構成されている。
【００３２】
上記のように構成された非接触型情報記録媒体においては、インターポーザ１０に設けられたランド部１２ａ，１２ｂとベース基材２０に設けられたランド部２２ａ，２２ｂとが、基材フィルム１３を介してそれぞれ対向するため、ランド部１２ａ，１２ｂとランド部２２ａ，２２ｂとをそれぞれ両電極としたコンデンサが形成されることになり、ランド部１２ａ，１２ｂ及びランド部２２ａ，２２ｂの面積と、基材フィルム１３の材質及び厚さとから決まる静電容量を有して、ＩＣチップ１１とアンテナ２１とがランド部１２ａ，１２ｂ及びランド部２２ａ，２２ｂを介して結合されることになる。ここで、アンテナ２１の長さや巻き数においては、ランド部１２ａ，１２ｂ及びランド部２２ａ，２２ｂの面積と、基材フィルム１３の材質及び厚さとから決まる静電容量を有して、ＩＣチップ１１とアンテナ２１とがランド部１２ａ，１２ｂ及びランド部２２ａ，２２ｂを介して結合された場合に、アンテナ２１を介して非接触状態にてＩＣチップ１１に対する情報の書き込み及び読み出しが可能な所定の周波数に同調するように予め設計されている。なお、本形態においては、ランド部１２ａ，１２ｂの面積よりもランド部２２ａ，２２ｂの面積の方が広くなるように形成されているため、ランド部１２ａ，１２ｂがランド部２２ａ，２２ｂに含まれるようにインターポーザ１０がベース基材２０上に搭載されれば、ランド部１２ａ，１２ｂの面積と、基材フィルム１３の材質の及び厚さとから決まる静電容量を有して、ＩＣチップ１１とアンテナ２１とがランド部１２ａ，１２ｂ及びランド部２２ａ，２２ｂを介して結合されることになる。
【００３３】
これにより、上述した非接触型情報記録媒体を、外部に設けられた情報書込／読出装置に近接させると、情報書込／読出装置からの電磁誘導によりコイル形状のアンテナ２１に電流が流れ、その電流がアンテナ２１からランド部２２ａ，２２ｂ及びランド部１２ａ，１２ｂを介してＩＣチップ１１に供給され、それにより、非接触状態において、情報書込／読出装置からＩＣチップ１１に情報が書き込まれたり、ＩＣチップ１１に書き込まれた情報が情報書込／読出装置にて読み出されたりすることになる。
【００３４】
（第２の実施の形態）
図２は、本発明の非接触型情報記録媒体の第２の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【００３５】
本形態は図２に示すように、コイル状のアンテナ１２１が形成されてなる第１の部材であるベース基材１２０上にアンテナ１２１を介して非接触状態にて情報の書き込み及び読み出しが可能なＩＣチップ１１１が設けられた第２の部材であるインターポーザ１１０が接着剤１５０によって搭載されて構成されたインレット１１５に、表面シート１３０が接着剤層１４０によって積層されて構成されている。
【００３６】
インターポーザ１１０は、第２の基材である基材フィルム１１３上に所定の間隔を有して第２の導電領域である２つのランド部１１２ａ，１１２ｂが形成され、ランド部１１２ａ，１１２ｂを跨ぐようにＩＣチップ１１１が搭載されて構成されている。
【００３７】
また、ベース基材１２０は、第１の基材である樹脂シート１２３上に、コイル状のアンテナ１２１が形成されるとともに、アンテナ１２１の両端には所定の面積を有する第１の導電領域であるランド部１２２ａ，１２２ｂがそれぞれ形成されて構成されている。なお、ランド部１２２ｂは、アンテナ１２１の長さ方向に沿ってその幅が変化するように形成されているが、その幅は、最も広い領域で、インターポーザ１１０が搭載された際にインターポーザ１１０に設けられたランド部１１２ｂが全て含まれるような幅であり、また、最も狭い領域で、インターポーザ１１０が搭載された際にインターポーザ１１０に設けられたランド部１１２ｂとの間にて所定の静電容量を有するため必要最低限となる幅となっている。
【００３８】
上記のように構成されたベース基材１２０上に、ベース基材１２０に設けられたランド部１２２ａ，１２２ｂと、インターポーザ１１０に設けられたランド部１１２ａ，１１２ｂとが基材フィルム１１３を介して対向するように両面テープ等の接着剤１５０を介して搭載されてインレット１１５が構成されている。
【００３９】
上記のように構成された非接触型情報記録媒体においては、インターポーザ１１０に設けられたランド部１１２ａ，１１２ｂとベース基材１２０に設けられたランド部１２２ａ，１２２ｂとが、基材フィルム１１３を介してそれぞれ対向するため、ランド部１１２ａ，１１２ｂとランド部１２２ａ，１２２ｂとをそれぞれ両電極としたコンデンサが形成されることになり、ランド部１１２ａ，１１２ｂ及びランド部１２２ａ，１２２ｂの面積と、基材フィルム１１３の材質及び厚さとから決まる静電容量を有して、ＩＣチップ１１１とアンテナ１２１とがランド部１１２ａ，１１２ｂ及びランド部１２２ａ，１２２ｂを介して結合されることになる。ここで、アンテナ１２１の長さや巻き数においては、ランド部１１２ａ，１１２ｂ及びランド部１２２ａ，１２２ｂの面積と、基材フィルム１１３の材質及び厚さとから決まる静電容量を有して、ＩＣチップ１１１とアンテナ１２１とがランド部１１２ａ，１１２ｂ及びランド部１２２ａ，１２２ｂを介して結合された場合に、アンテナ１２１を介して非接触状態にてＩＣチップ１１１に対する情報の書き込み及び読み出しが可能な所定の周波数に同調するように予め設計されている。なお、本形態においては、ランド部１１２ａの面積よりもランド部１２２ａの面積の方が広くなるように、かつ、ランド部１２２ｂが、アンテナ１２１の長さ方向に沿ってその幅が変化するように形成されているため、インターポーザ１１０のベース基材１２０上における搭載位置によって、ランド部１１２ｂとランド部１２２ｂとの対向面積が変化することになり、それにより、ランド部１１２ａの面積と、ランド部１１２ｂとランド部１２２ｂとの対向面積と、基材フィルム１１３の材質及び厚さとから決まる静電容量を有して、ＩＣチップ１１１とアンテナ１２１とがランド部１１２ａ，１１２ｂ及びランド部１２２ａ，１２２ｂを介して結合されることになる。
【００４０】
これにより、上述した非接触型情報記録媒体を、外部に設けられた情報書込／読出装置に近接させると、情報書込／読出装置からの電磁誘導によりコイル形状のアンテナ１２１に電流が流れ、その電流がアンテナ１２１からランド部１２２ａ，１２２ｂ及びランド部１１２ａ，１１２ｂを介してＩＣチップ１１１に供給され、それにより、非接触状態において、情報書込／読出装置からＩＣチップ１１１に情報が書き込まれたり、ＩＣチップ１１１に書き込まれた情報が情報書込／読出装置にて読み出されたりすることになる。
【００４１】
（第３の実施の形態）
図３は、本発明の非接触型情報記録媒体の第３の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【００４２】
本形態は図３に示すように、コイル状のアンテナ２２１が形成されてなる第１の部材であるベース基材２２０上にアンテナ２２１を介して非接触状態にて情報の書き込み及び読み出しが可能なＩＣチップ２１１が設けられた第２の部材であるインターポーザ２１０が接着剤２５０によって搭載されて構成されたインレット２１５に、表面シート２３０が接着剤層２４０によって積層されて構成されている。
【００４３】
インターポーザ２１０は、第２の基材である基材フィルム２１３上に所定の間隔を有して第２の導電領域である２つのランド部２１２ａ，２１２ｂが形成され、ランド部２１２ａ，２１２ｂを跨ぐようにＩＣチップ２１１が搭載されて構成されている。
【００４４】
また、ベース基材２２０は、第１の基材である樹脂シート２２３上に、コイル状のアンテナ２２１が形成されるとともに、アンテナ２２１の両端には第１の導電領域であるランド部２２２ａ，２２２ｂがそれぞれ形成されて構成されている。なお、ランド部２２２ａ，２２２ｂは、アンテナ２２１の長さ方向に互いに異なる面積を有する複数の領域から構成されている。
【００４５】
上記のように構成されたベース基材２２０上に、ベース基材２２０に設けられたランド部２２２ａ，２２２ｂと、インターポーザ２１０に設けられたランド部２１２ａ，２１２ｂとが基材フィルム２１３を介して対向するように両面テープ等の接着剤２５０を介して搭載されてインレット２１５が構成されている。
【００４６】
上記のように構成された非接触型情報記録媒体においては、インターポーザ２１０に設けられたランド部２１２ａ，２１２ｂとベース基材２２０に設けられたランド部２２２ａ，２２２ｂとが、基材フィルム２１３を介してそれぞれ対向するため、ランド部２１２ａ，２１２ｂとランド部２２２ａ，２２２ｂとをそれぞれ両電極としたコンデンサが形成されることになり、ランド部２１２ａ，２１２ｂ及びランド部２２２ａ，２２２ｂの面積と、基材フィルム２１３の材質及び厚さとから決まる静電容量を有して、ＩＣチップ２１１とアンテナ２２１とがランド部２１２ａ，２１２ｂ及びランド部２２２ａ，２２２ｂを介して結合されることになる。ここで、アンテナ２２１の長さや巻き数においては、ランド部２１２ａ，２１２ｂ及びランド部２２２ａ，２２２ｂの面積と、基材フィルム２１３の材質及び厚さとから決まる静電容量を有して、ＩＣチップ２１１とアンテナ２２１とがランド部２１２ａ，２１２ｂ及びランド部２２２ａ，２２２ｂを介して結合された場合に、アンテナ２２１を介して非接触状態にてＩＣチップ２１１に対する情報の書き込み及び読み出しが可能な所定の周波数に同調するように予め設計されている。なお、本形態においては、ランド部２１２ａ，２１２ｂがそれぞれ、互いに異なる複数の領域から構成されているため、インターポーザ２１０のベース基材２２０上における搭載位置によって、ランド部２１２ａ，２１２ｂとランド部２２２ａ，２１２ｂとの対向する部分の面積が変化することになり、それにより、ランド部２１２ａ，２１２ｂとランド部２２２ａ，２２２ｂとの対向する部分の面積と、基材フィルム２１３の材質及び厚さとから決まる静電容量を有して、ＩＣチップ２１１とアンテナ２２１とがランド部２１２ａ，２１２ｂ及びランド部２２２ａ，２２２ｂを介して結合されることになる。
【００４７】
これにより、上述した非接触型情報記録媒体を、外部に設けられた情報書込／読出装置に近接させると、情報書込／読出装置からの電磁誘導によりコイル形状のアンテナ２２１に電流が流れ、その電流がアンテナ２２１からランド部２２２ａ，２２２ｂ及びランド部２１２ａ，２１２ｂを介してＩＣチップ２１１に供給され、それにより、非接触状態において、情報書込／読出装置からＩＣチップ２１１に情報が書き込まれたり、ＩＣチップ２１１に書き込まれた情報が情報書込／読出装置にて読み出されたりすることになる。
【００４８】
【発明の効果】
以上説明したように本発明においては、非導電材料からなる第１の基材上に導電材料からなるコイル状のアンテナが形成された第１の部材と、第１の部材上に搭載され、非導電材料からなる第２の基材上にアンテナを介して非接触状態にて情報の書き込み及び読み出しが可能なＩＣチップが１つの面上に設けられた第２の部材とを有し、アンテナを介して非接触状態にてＩＣチップに情報の書き込み及び読み出しが行われる非接触型情報記録媒体において、第１の基材上にてアンテナの両端にそれぞれ接続されて形成された第１の導電領域と、第２の基材のＩＣチップが設けられた面上にてＩＣチップの接続端子にそれぞれ接続されて形成された第２の導電領域とを有し、第２の部材は、第１の導電領域と第２の導電領域とが第２の基材を介して互いに対向する位置に、第２の導電領域が形成されていない面を搭載面として第２の基材によって所定の静電容量を具備するように第１の部材上に搭載されているため、情報の書き込み及び読み出しが行われるＩＣチップと、ＩＣチップに対して非接触状態にて情報の書き込み及び読み出しを行うためのアンテナとが、第１の導電領域及び第２の導電領域によって第２の基材を介して非接触状態にて結合されることになり、アンテナとＩＣチップとの間にて接続不良が生じることがなくなるとともに、アンテナ及び第１の導電領域とＩＣチップ及び第２の導電領域との間に絶縁層を形成する必要がなくなり、また、第１の部材上に第２の部材を搭載する際に、導電性接着剤や熱接着等によってこれらを接着する必要がなく、一般的な接着剤を用いて接着すればよく、それにより、製造の際の作業効率が向上し、製造コストが増大してしまうことがなくなる。
【００４９】
また、第１の導電領域の面積が、第２の導電領域の面積よりも広く構成されているものにおいては、第１の部材に対する第２の部材の搭載位置が多少ずれた場合であっても、第１の導電領域と第２の導電領域とを対向させることができる。
【００５０】
また、第１の導電領域が、アンテナの長さ方向の第１の導電領域の端部間における第２の部材の第１の部材上の搭載位置により第１の導電領域と第２の導電領域との対向する部分の面積が変化するような形状を有するように構成されているものにおいては、ＩＣチップの特性に応じて第２の部材の第１の部材上の搭載位置を変えることにより、所定の周波数に同調させることができる。
【図面の簡単な説明】
【図１】本発明の非接触型情報記録媒体の第１の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【図２】本発明の非接触型情報記録媒体の第２の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【図３】本発明の非接触型情報記録媒体の第３の実施の形態を示す図であり、（ａ）は内部構成を示す図、（ｂ）は（ａ）に示したＡ−Ａ’断面図、（ｃ）は（ａ）に示したインターポーザの構成を示す図、（ｄ）は（ｃ）に示したＢ−Ｂ’断面図、（ｅ）は（ｂ）に示したベース基材の構成を示す図、（ｆ）は（ｅ）に示したＣ−Ｃ’断面図である。
【図４】従来の非接触型ＩＣタグの構造の一例を示す図であり、（ａ）は内部構造を示す図、（ｂ）は断面図である。
【符号の説明】
１０，１１０，２１０    インターポーザ
１１，１１１，２１１    ＩＣチップ
１２ａ，１２ｂ，２２ａ，２２ｂ，１１２ａ，１１２ｂ，１２２ａ，１２２ｂ，２１２ａ，２１２ｂ，２２２ａ，２２２ｂ    ランド部
１３，１１３，２１３    基材フィルム
１５，１１５，２１５    インレット
２０，１２０，２２０    ベース基材
２１，１２１，２２１    アンテナ
２３，１２３，２２３    樹脂シート
３０，１３０，２３０    表面シート
４０，１４０，２４０    接着剤層
５０，１５０，２５０    接着剤
【図１】
2004295773.tif 000003
【図２】
2004295773.tif 000004
【図３】
2004295773.tif 000005
【図４】
2004295773.tif 000006